【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
複数色のインクを用いてカラー記録を行うインクジェット記録装置に出力する画像データを処理する画像処理装置であって、
入力画像データを前記インクの色毎に対応したデータに変換する色変換処理部と、
前記インクの色毎に対応したデータに対してガンマ補正を施すガンマ補正部と、
前記ガンマ補正が施されたデータを量子化処理し、前記インクの色毎に量子化されたデータに変換する量子化処理部と、を有し、
前記ガンマ補正部は、有彩色のインクに対応するデータに対しては全ての階調において所定の割合でインク打ち込み量を間引くよう補正し、無彩色のインクに対応するデータに対しては高階調のデータを低階調のデータよりも低い割合でインク打ち込み量を間引くよう補正することを特徴とする画像処理装置。
【請求項２】
前記ガンマ補正部において、前記無彩色のインクに対応するデータに対しては前記高階調のデータを前記所定の割合よりも低い割合でインク打ち込み量を間引くよう補正することを特徴とする請求項１に記載の画像処理装置。
【請求項３】
前記ガンマ補正部において、所定の領域に対する最大インク打ち込み量が設定された量よりも少なくなるように間引きの割合を設定することを特徴とする請求項１又は２に記載の画像処理装置。
【請求項４】
前記有彩色はシアン、マゼンタ及びイエローを含み、前記無彩色は黒を含むことを特徴とする請求項１乃至３のいずれか１項に記載の画像処理装置。
【請求項５】
前記インクジェット記録装置の記録モードに応じて、前記間引きの実行を制御する制御手段を備えることを特徴とする請求項１乃至４のいずれか１項に記載の画像処理装置。
【請求項６】
前記インクジェット記録装置が使用する記録媒体に応じて、前記間引きの実行を制御する制御手段を備えることを特徴とする請求項１乃至５のいずれか１項に記載の画像処理装置。
【請求項７】
複数色のインクを用いてカラー記録を行うインクジェット記録装置に出力する画像データを処理する画像処理方法であって、
入力画像データを前記インクの色毎に対応したデータに変換する色変換処理工程と、
前記インクの色毎に対応したデータに対してガンマ補正を施すガンマ補正工程と、
前記ガンマ補正が施されたデータを量子化処理し、前記インクの色毎に量子化されたデータに変換する量子化処理工程と、を有し、
前記ガンマ補正工程は、有彩色のインクに対応するデータに対しては全ての階調において所定の割合でインク打ち込み量を間引くよう補正し、無彩色のインクに対応するデータに対しては高階調のデータを低階調のデータよりも低い割合でインク打ち込み量を間引くよう補正することを特徴とする画像処理方法。
【請求項８】
複数色のインクを用いてカラー記録を行うインクジェット記録装置に接続されるホストコンピュータで実行され、インタフェースを介して前記記録装置に画像データを出力するプリンタドライバであって、前記ホストコンピュータに、
入力画像データを前記インクの色毎に対応したデータに変換する色変換処理工程と、
前記インクの色毎に対応したデータに対してガンマ補正を施すガンマ補正工程と、
前記ガンマ補正が施されたデータを量子化処理し、前記インクの色毎に量子化されたデータに変換する量子化処理工程と、を実行させ、
前記ガンマ補正工程は、有彩色のインクに対応するデータに対しては全ての階調において所定の割合でインク打ち込み量を間引くよう補正し、無彩色のインクに対応するデータに対しては高階調のデータを低階調のデータよりも低い割合でインク打ち込み量を間引くよう補正することを特徴とするプリンタドライバ。
【請求項９】
複数色のインクを用いてカラー記録を行うインクジェット記録装置であって、外部に接続されるホストコンピュータから送信されるデータに従って記録を行うインクジェット記録装置において、
前記ホストコンピュータから送信されたデータに対してインク打ち込み量を間引くよう補正する間引き手段と、
前記間引き手段によって補正されたデータに従って、前記複数色のインクを用いて記録を行う記録手段と、を有し、
前記間引き手段は、有彩色のインクに対応するデータに対しては全ての階調において所定の割合でインク打ち込み量を間引くよう補正し、無彩色のインクに対応するデータに対しては高階調のデータを低階調のデータよりも低い割合でインク打ち込み量を間引くよう補正することを特徴とするインクジェット記録装置。
【請求項１０】
複数色のインクを用いてカラー記録を行うインクジェット記録装置であって、外部に接続されるホストコンピュータから送信されるデータに従って記録を行うインクジェット記録装置における記録制御方法であって、
前記ホストコンピュータから送信されたデータに対してインク打ち込み量を間引くよう補正する間引き工程と、
前記間引き工程によって補正されたデータに従って、前記複数色のインクを用いて記録を行う記録工程と、を有し、
前記間引き工程は、有彩色のインクに対応するデータに対しては全ての階調において所定の割合でインク打ち込み量を間引くよう補正し、無彩色のインクに対応するデータに対しては高階調のデータを低階調のデータよりも低い割合でインク打ち込み量を間引くよう補正することを特徴とする記録制御方法。
【手続補正２】
【補正対象書類名】明細書
【補正対象項目名】００１２
【補正方法】変更
【補正の内容】
【００１２】
上記目的を達成する本発明の一態様としての画像処理装置は、複数色のインクを用いてカラー記録を行うインクジェット記録装置に出力する画像データを処理する画像処理装置であって、入力画像データを前記インクの色毎に対応したデータに変換する色変換処理部と、前記インクの色毎に対応したデータに対してガンマ補正を施すガンマ補正部と、前記ガンマ補正が施されたデータを量子化処理し、前記インクの色毎に量子化されたデータに変換する量子化処理部と、を有し、前記ガンマ補正部は、有彩色のインクに対応するデータに対しては全ての階調において所定の割合でインク打ち込み量を間引くよう補正し、無彩色のインクに対応するデータに対しては高階調のデータを低階調のデータよりも低い割合でインク打ち込み量を間引くよう補正することを特徴とする。
【手続補正３】
【補正対象書類名】明細書
【補正対象項目名】００１３
【補正方法】変更
【補正の内容】
【００１３】
また、上記目的を達成する本発明の別の態様としての画像処理方法は、複数色のインクを用いてカラー記録を行うインクジェット記録装置に出力する画像データを処理する画像処理方法であって、入力画像データを前記インクの色毎に対応したデータに変換する色変換処理工程と、前記インクの色毎に対応したデータに対してガンマ補正を施すガンマ補正工程と、前記ガンマ補正が施されたデータを量子化処理し、前記インクの色毎に量子化されたデータに変換する量子化処理工程と、を有し、前記ガンマ補正工程は、有彩色のインクに対応するデータに対しては全ての階調において所定の割合でインク打ち込み量を間引くよう補正し、無彩色のインクに対応するデータに対しては高階調のデータを低階調のデータよりも低い割合でインク打ち込み量を間引くよう補正することを特徴とする。
【手続補正４】
【補正対象書類名】明細書
【補正対象項目名】００２１
【補正方法】変更
【補正の内容】
【００２１】
また、上記の目的は、複数色のインクを用いてカラー記録を行うインクジェット記録装置に接続されるホストコンピュータで実行され、インタフェースを介して前記記録装置に画像データを出力する際に上記の画像処理方法を実行するプリンタドライバ、該プリンタドライバを格納した記憶媒体によっても達成される。